(57)【要約】【課題】通信システムの切り替えに掛かる時間を短縮することができる無線端末装置及び通信制御方法を提供すること。【解決手段】スマートフォン１は、ＬＴＥシステムの基地局から、当該基地局の所定範囲内の基地局と、当該所定範囲内の複数の基地局それぞれの位置登録エリアとを関連付けたネイバーリストを取得するリスト取得部１０３と、ＬＴＥシステムでの通信からＣＤＭＡシステムでの通信に移行する場合に、ＬＴＥシステムのシステムタイム及び差分に基づいてＣＤＭＡシステムへの通信接続を試行し、当該試行に失敗した場合にネイバーリストに含まれる近隣の基地局が属する位置登録エリアに関連するＣＤＭＡシステムの位置登録エリアの基地局をサーチする移行部１０５と、を備える。【選択図】図５
2014011494.tif 000002
【特許請求の範囲】
【請求項１】
第１通信システム及び第２通信システムのいずれでも通信可能な無線端末装置であって、
前記第１通信システムで通信を行う場合、当該第１通信システムの起動に先立って、前記第２通信システムに同期して当該第２通信システムのシステムタイムを取得し、その後、前記第１通信システムに同期して当該第１通信システムのシステムタイムを取得する取得部と、
前記取得部により取得された前記第１通信システムのシステムタイムと、前記第２通信システムのシステムタイムとの差分を算出する差分算出部と、
前記第１通信システムの基地局から、当該基地局から所定範囲内の基地局と、当該所定範囲内の複数の基地局それぞれの位置登録エリアとを関連付けた情報としてのネイバーリストを取得するリスト取得部と、
前記第１通信システムでの通信から前記第２通信システムでの通信に移行する場合に、前記第１通信システムのシステムタイム及び前記差分に基づいて前記第２通信システムへの通信接続を試行し、当該試行に失敗した場合に前記ネイバーリストに含まれる前記所定範囲内の基地局が属する位置登録エリアに関連する前記第２通信システムの位置登録エリアの基地局をサーチする移行部と、
を備える無線端末装置。
【請求項２】
前記移行部は、前記第１通信システムでの通信中に発信要求を受け付けた場合に、前記第１通信システムでの通信から前記第２通信システムでの通信に移行する、
請求項１に記載の無線端末装置。
【請求項３】
前記移行部は、前記第１通信システムでの通信中に前記第１通信システムの通信先の基地局から着信通知を受け付けた場合に、前記第１通信システムでの通信から前記第２通信システムでの通信に移行する、
請求項１又は２に記載の無線端末装置。
【請求項４】
前記第１通信システムの複数の位置登録エリアと、前記第２通信システムの複数の位置登録エリアとを一対一で関連付けたマッピング情報を記憶する記憶部を備え、
前記移行部は、前記試行に失敗した場合に、前記ネイバーリストに基づいて前記所定範囲内の基地局に関連付けられた位置登録エリアを特定し、特定された位置登録エリアに関連付けられた前記第２通信システムの位置登録エリアを前記マッピング情報に基づいて特定し、特定された前記第２通信システムの位置登録エリアの基地局をサーチする、
請求項１から３のいずれか１項に記載の無線端末装置。
【請求項５】
前記移行部は、前記試行に失敗した場合に、前記第２通信システムの位置登録エリアの優先度を所定条件に基づいて決定し、当該優先度の高い順に、前記第２通信システムの位置登録エリアの基地局をサーチする、
請求項１から４のいずれか１項に記載の無線端末装置。
【請求項６】
前記移行部は、前記試行に失敗した場合に、前記ネイバーリストに含まれる前記所定範囲内の基地局の電界強度の情報を取得し、取得された電界強度の情報に基づいて、電界強度が高い順に前記優先度が高くなるように前記優先度を決定する、
請求項５に記載の無線端末装置。
【請求項７】
前記第１通信システムは、ＬＴＥ方式の通信システムであり、
前記第２通信システムは、ＣＤＭＡ方式の通信システムである、
請求項１から６のいずれか１項に記載の無線端末装置。
【請求項８】
第１通信システム及び第２通信システムのいずれでも通信可能な無線端末装置が通信を制御する通信制御方法であって、
前記第１通信システムで通信を行う場合、当該第１通信システムの起動に先立って、前記第２通信システムに同期して当該第２通信システムのシステムタイムを取得し、その後、前記第１通信システムに同期して当該第１通信システムのシステムタイムを取得するステップと、
前記取得するステップにおいて取得された前記第１通信システムのシステムタイムと前記第２通信システムのシステムタイムとの差分を算出するステップと、
前記第１通信システムの基地局から、当該基地局から所定範囲内の基地局と、当該所定範囲内の複数の基地局それぞれの位置登録エリアとを関連付けた情報としてのネイバーリストを取得するステップと、
前記第１通信システムでの通信から前記第２通信システムでの通信に移行する場合に、前記第１通信システムのシステムタイム及び前記差分に基づいて前記第２通信システムへの通信接続を試行し、当該試行に失敗した場合に前記ネイバーリストに含まれる前記所定範囲内の基地局が属する位置登録エリアに関連する前記第２通信システムの位置登録エリアの基地局をサーチするステップと、を含む制御方法。
【請求項９】
第１通信システム及び第２通信システムのいずれでも通信可能な無線端末装置であって、
前記第１通信システムから前記第２通信システムに移行する場合に、前記第１通信システムにおける複数の基地局と当該複数の基地局それぞれが属する位置登録エリアとが対応付けられた基地局情報に含まれる基地局が属する位置登録エリアに関連する前記第２通信システムの位置登録エリアの基地局をサーチする、
無線端末装置。
【請求項１０】
第１通信システム及び第２通信システムのいずれでも通信可能な無線端末装置であって、
前記第１通信システムから前記第２通信システムに移行する場合に、ネイバーリストに含まれる基地局が属する位置登録エリアに関連する前記第２通信システムの位置登録エリアの基地局をサーチする、
無線端末装置。
【発明の詳細な説明】
【技術分野】
【０００１】
本発明は、複数の通信システムで通信可能な無線通信装置及び通信制御方法に関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式の通信システム（例えば、ＣＤＭＡ）の他に、ＬＴＥ（Ｌｏｎｇ  Ｔｅｒｍ  Ｅｖｏｌｕｔｉｏｎ）方式の通信システムがある。
【０００３】
ところが、無線端末装置では、ＬＴＥ方式の通信システムとＣＤＭＡ方式の通信システムとの双方を同時に利用することができない。そのため、携帯電話機は、ＬＴＥを利用中に、ＣＤＭＡのページングチャネルを取得できず、着信の有無を知ることができなかった。そこで、ＬＴＥの利用中にＣＤＭＡからの着信要求を通知することを可能とするＣＳ  Ｆａｌｌｂａｃｋ機能が規定された（例えば、特許文献１参照）。
【先行技術文献】
【特許文献】
【０００４】
【特許文献１】特開２００９−２６７９９６号公報
【発明の概要】
【発明が解決しようとする課題】
【０００５】
ところで、ＣＤＭＡに対応する基地局と、ＬＴＥに対応する基地局とでは、無線端末装置との通信を行うエリア範囲（位置登録エリア）が異なる場合がある。したがって、例えば、無線端末装置の所在位置が変化した場合に、ＬＴＥに対応する位置登録エリアの変更がなかったとしても、ＣＤＭＡに対応する位置登録エリアの変更が発生することがある。
【０００６】
この状態でＬＴＥを利用している場合、ＣＤＭＡに切り替えるためには、例えば、ＰＲＬ（Ｐｒｅｆｅｒｒｅｄ  Ｒｏａｍｉｎｇ  Ｌｉｓｔ）等に基づいてＣＤＭＡの基地局のサーチから開始する必要があり、ＣＤＭＡに切り替える時間が掛かってしまう。
【０００７】
本発明は、通信システムの切り替えに掛かる時間を短縮することができる無線端末装置及び通信制御方法を提供することを目的とする。
【課題を解決するための手段】
【０００８】
本発明に係る無線端末装置は第１通信システム及び第２通信システムのいずれでも通信可能な無線端末装置であって、前記第１通信システムで通信を行う場合、当該第１通信システムの起動に先立って、前記第２通信システムに同期して当該第２通信システムのシステムタイムを取得し、その後、前記第１通信システムに同期して当該第１通信システムのシステムタイムを取得する取得部と、前記取得部により取得された前記第１通信システムのシステムタイムと、前記第２通信システムのシステムタイムとの差分を算出する差分算出部と、前記第１通信システムの基地局から、当該基地局から所定範囲内の基地局と、当該所定範囲内の複数の基地局それぞれの位置登録エリアとを関連付けた情報としてのネイバーリストを取得するリスト取得部と、前記第１通信システムでの通信から前記第２通信システムでの通信に移行する場合に、前記第１通信システムのシステムタイム及び前記差分に基づいて前記第２通信システムへの通信接続を試行し、当該試行に失敗した場合に前記ネイバーリストに含まれる前記所定範囲内の基地局が属する位置登録エリアに関連する前記第２通信システムの位置登録エリアの基地局をサーチする移行部と、を備える。
【０００９】
また、本発明に係る無線端末装置では、前記移行部は、前記第１通信システムでの通信中に発信要求を受け付けた場合に、前記第１通信システムでの通信から前記第２通信システムでの通信に移行することが好ましい。
【００１０】
また、本発明に係る無線端末装置では、前記移行部は、前記第１通信システムでの通信中に前記第１通信システムの通信先の基地局から着信通知を受け付けた場合に、前記第１通信システムでの通信から前記第２通信システムでの通信に移行することが好ましい。
【００１１】
また、本発明に係る無線端末装置は、前記第１通信システムの複数の位置登録エリアと、前記第２通信システムの複数の位置登録エリアとを一対一で関連付けたマッピング情報を記憶する記憶部を備え、前記移行部は、前記試行に失敗した場合に、前記ネイバーリストに基づいて前記所定範囲内の基地局に関連付けられた位置登録エリアを特定し、特定された位置登録エリアに関連付けられた前記第２通信システムの位置登録エリアを前記マッピング情報に基づいて特定し、特定された前記第２通信システムの位置登録エリアの基地局をサーチすることが好ましい。
【００１２】
また、本発明に係る無線端末装置では、前記移行部は、前記試行に失敗した場合に、前記第２通信システムの位置登録エリアの優先度を所定条件に基づいて決定し、当該優先度の高い順に、当該位置登録エリアの基地局をサーチすることが好ましい。
【００１３】
また、本発明に係る無線端末装置では、前記移行部は、前記試行に失敗した場合に、前記ネイバーリストに含まれる前記所定範囲内の基地局の電界強度の情報を取得し、取得された電界強度の情報に基づいて、電界強度が高い順に前記優先度が高くなるように前記優先度を決定することが好ましい。
【００１４】
また、本発明に係る無線端末装置では、前記第１通信システムは、ＬＴＥ方式の通信システムであり、前記第２通信システムは、ＣＤＭＡ方式の通信システムであることが好ましい。
【００１５】
本発明に係る通信制御方法は、第１通信システム及び第２通信システムのいずれでも通信可能な無線端末装置が通信を制御する通信制御方法であって、前記第１通信システムで通信を行う場合、当該第１通信システムの起動に先立って、前記第２通信システムに同期して当該第２通信システムのシステムタイムを取得し、その後、前記第１通信システムに同期して当該第１通信システムのシステムタイムを取得するステップと、前記取得するステップにおいて取得された前記第１通信システムのシステムタイムと前記第２通信システムのシステムタイムとの差分を算出するステップと、前記第１通信システムの基地局から、当該基地局から所定範囲内の基地局と、当該所定範囲内の複数の基地局それぞれの位置登録エリアとを関連付けた情報としてのネイバーリストを取得するステップと、前記第１通信システムでの通信から前記第２通信システムでの通信に移行する場合に、前記第１通信システムのシステムタイム及び前記差分に基づいて前記第２通信システムへの通信接続を試行し、当該試行に失敗した場合に前記ネイバーリストに含まれる前記所定範囲内の基地局が属する位置登録エリアに関連する前記第２通信システムの位置登録エリアの基地局をサーチするステップと、を含む。
【００１６】
本発明に係る無線端末装置は、第１通信システム及び第２通信システムのいずれでも通信可能な無線端末装置であって、前記第１通信システムから前記第２通信システムに移行する場合に、前記第１通信システムにおける複数の基地局と当該複数の基地局それぞれが属する位置登録エリアとが対応付けられた基地局情報に含まれる基地局が属する位置登録エリアに関連する前記第２通信システムの位置登録エリアの基地局をサーチする。
【００１７】
本発明に係る無線端末装置は、第１通信システム及び第２通信システムのいずれでも通信可能な無線端末装置であって、前記第１通信システムから前記第２通信システムに移行する場合に、ネイバーリストに含まれる基地局が属する位置登録エリアに関連する前記第２通信システムの位置登録エリアの基地局をサーチする。
【発明の効果】
【００１８】
本発明によれば、通信システムの切り替えに掛かる時間を短縮することができる。
【図面の簡単な説明】
【００１９】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、実施形態に係るスマートフォンの構成を示すブロック図である。
【図５】図５は、実施形態に係るコントローラの機能構成を示すブロック図である。
【図６】図６は、実施形態に係るネイバーリストを示す図である。
【図７】図７は、実施形態に係るマッピング情報を示す図である。
【図８】図８は、実施形態に係るＣＤＭＡシステムの基地局との同期を行う例を示す図である。
【図９】図９は、実施形態に係るスマートフォンにおける電源起動時の処理を示すフローチャートである。
【図１０】図１０は、実施形態に係るスマートフォンにおけるハンドオフ時の処理を示すフローチャートである。
【図１１】図１１は、実施形態に係るスマートフォンにおける発着信時の処理を示すフローチャートである。
【発明を実施するための形態】
【００２０】
本発明を実施するための実施形態を、図面を参照しつつ詳細に説明する。以下では、無線端末装置の一例として、スマートフォンについて説明する。
【００２１】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２２】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２３】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２４】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２６】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２７】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２８】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２９】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００３０】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００３１】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３２】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３３】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３４】
図４は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００３５】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３６】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３７】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３８】
照度センサ４は、照度を検出する。例えば、照度とは、光の強さ、明るさ、輝度等である。照度センサ４は、例えば、ディスプレイ２Ａの輝度の調整に用いられる。
【００３９】
近接センサ５は、近隣の物体の存在を非接触で検出する。近接センサ５は、例えば、タッチスクリーンディスプレイ２が顔に近付けられたことを検出する。
【００４０】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（登録商標）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。
【００４１】
ここで、通信ユニット６は、この例においては、音声及びデータ通信用の通信プロトコルであるＣＤＭＡ２０００＿１ｘ（以下、ＣＤＭＡという）方式と、主に高速データ通信に用いられる通信プロトコルであるＬＴＥ方式との双方に対応しており、いずれのプロトコルの通信システムでも通信可能である。通信ユニット６は、コントローラ１０からの指令に基づいて、いずれかのプロトコルにより基地局と通信を行う。スマートフォン１は、データ通信を行う場合、ＬＴＥによる通信を優先し、音声通話を行う場合、ＣＤＭＡによる通信を用いるものとする。
【００４２】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４３】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４５】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。
【００４６】
設定データ９Ｚは、スマートフォン１の動作に関する各種の設定機能を提供する。具体的には、設定データ９Ｚには、通信システム内において使用され、基地局から通知される基準時間情報であるシステムタイムが含まれる。また、第１通信システムとしてのＬＴＥ方式の通信システムによる通信が行われる場合、設定データ９Ｚには、ＬＴＥ方式の通信システムのシステムタイムと、第２通信システムとしてのＣＤＭＡ方式の通信システムのシステムタイムとの差分が格納されている。なお、以降の説明において、ＬＴＥ方式の通信システムを単にＬＴＥシステムといい、ＣＤＭＡ方式の通信システムをＣＤＭＡシステムという。
【００４７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４８】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４９】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００５０】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。コントローラ１０の詳細な機能については後述する。
【００５１】
カメラ１２は、フロントフェイス１Ａに面している物体を撮影するインカメラである。カメラ１３は、バックフェイス１Ｂに面している物体を撮影するアウトカメラである。
【００５２】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５３】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５４】
このように構成されるスマートフォン１は、通信システムの切り替えに掛かる時間を短縮することができる。以下に、具体的に構成について説明する。
【００５５】
図５は、コントローラ１０の機能構成を示すブロック図である。コントローラ１０は、システムタイム取得部１０１と、差分算出部１０２と、リスト取得部１０３と、マッピング情報取得部１０４と、移行部１０５とを備える。
【００５６】
ここで、ＣＳ  Ｆａｌｌｂａｃｋ機能とは、ＬＴＥ網とＣＤＭＡ網との位置登録エリアが重複している地域において、ＬＴＥ網とＣＬＭＡ網とを連携する着信通知サービスの一つである。
具体的には、このＣＳ  Ｆａｌｌｂａｃｋ機能は、ＬＴＥ網に位置登録しているスマートフォン１に対して、ＣＤＭＡ網での着信の発生をＬＴＥ網で通知し、この通知を受けたスマートフォン１が、通信ユニット６による通信をＣＤＭＡ網に通信を切り替えて音声通話を行う、という技術である。この技術では、本来、音声通話をサービスするＣＤＭＡ網での着信呼び出しであっても、ＣＤＭＡ網の呼び出しのエリアとＬＴＥ網の呼び出しのエリアとの連携を網側の管理装置によって行う。これにより、スマートフォン１は、ＣＤＭＡ網又はＬＴＥ網の一方で位置登録することで、あたかもＣＤＭＡ網とＬＴＥ網との双方で位置登録しているかのように動作できる。
【００５７】
システムタイム取得部１０１は、通信ユニット６により、ＬＴＥシステムで通信を行う場合、ＬＴＥシステムの起動に先立って、ＣＤＭＡシステムに同期して、ＣＤＭＡシステムのシステムタイムを取得する。
【００５８】
具体的には、システムタイム取得部１０１は、スマートフォン１の電源起動時に、通信ユニット６を制御して、ＣＤＭＡシステムとの同期をとらせ、通信ユニット６を介して、ＣＤＭＡシステムのシステムタイムを取得する。また、システムタイム取得部１０１は、ＬＴＥシステムのハンドオフが生じた場合、通信ユニット６を制御して、このＬＴＥシステムを一旦サスペンドした後、ＣＤＭＡシステムの基地局をサーチし、補足したＣＤＭＡシステムの基地局との同期をとらせる。このようにして、システムタイム取得部１０１は、ＣＤＭＡシステムのシステムタイムを取得する。
【００５９】
このとき、システムタイム取得部１０１は、ＣＤＭＡシステムの基地局から通知される同期（ｓｙｎｃ）チャネル上の同期用のメッセージに基づいて、このＣＤＭＡシステムのシステムタイムを算出する。
【００６０】
差分算出部１０２は、ＣＤＭＡシステムのシステムタイムを取得後、通信ユニット６を制御して、ＬＴＥシステムを起動させて、ＬＴＥシステムとの同期をとらせる。そして、差分算出部１０２は、通信ユニット６を介して、ＬＴＥシステムのシステムタイムを取得する。差分算出部１０２は、このＬＴＥシステムのシステムタイムと、システムタイム取得部１０１により取得されたＣＤＭＡシステムのシステムタイムとの差分を算出する。差分算出部１０２は、ＬＴＥシステムのシステムタイムと、算出した差分とを設定データ９Ｚの一部としてストレージ９に記憶させる。これにより、通信ユニット６は、ストレージ９に記憶されているＬＴＥシステムのシステムタイムに基づいて、ＬＴＥシステムの同期を維持する。
【００６１】
リスト取得部１０３は、通信ユニット６を介して、ＬＴＥシステムの基地局から、ネイバーリストを取得する。ネイバーリストは、ＬＴＥシステムの基地局と、ＬＴＥシステムの位置登録エリアとを関連付けた情報である。具体的には、ネイバーリストは、図６に示されるように、当該ＬＴＥシステムの基地局から所定範囲のＬＴＥシステムの基地局と、当該所定範囲の複数の基地局それぞれの位置登録エリアとを関連付けた情報である。リスト取得部１０３は、通信ユニット６を介して、ＬＴＥシステムによる通信開始時に、接続先の基地局からネイバーリストを取得する。また、リスト取得部１０３は、ＬＴＥシステムにおいてハンドオフが生じた場合、通信ユニット６を介して、新たに接続されたＬＴＥシステムの基地局からネイバーリストを取得する。
【００６２】
マッピング情報取得部１０４は、ＬＴＥシステムによる通信開始時又はハンドオフの発生時に、通信ユニット６を介して、ＬＴＥシステムの基地局から、マッピング情報を取得する。図７にマッピング情報の一例を示す。図７に示されているように、マッピング情報は、ＬＴＥシステムの位置登録エリアと、ＣＤＭＡシステムの位置登録エリアとを関連付けた情報である。このマッピング情報では、ＬＴＥシステムの位置登録エリアと、ＣＤＭＡシステムの位置登録エリアとが１対１で関連付けられている。なお、このマッピング情報は、ＬＴＥシステムの基地局を管理するＭＭＥ（Ｍｏｂｉｌｉｔｙ  Ｍａｎａｇｅｍｅｎｔ  Ｅｎｔｉｔｙ）において用いられているマッピング情報の少なくとも一部によって構成されている。マッピング情報取得部１０４は、取得したマッピング情報をストレージ９に記憶させる。
【００６３】
移行部１０５は、ＬＴＥシステムでの通信中に、ＣＳ  Ｆａｌｌｂａｃｋ機能によりＣＤＭＡシステムでの着信が通知されると、通信ユニット６を制御して、ＬＴＥシステムでの通信からＣＤＭＡシステムでの通信に移行する。同様に、移行部１０５は、ＬＴＥシステムでの通信中に、スマートフォン１のタッチスクリーンディスプレイ２及びボタン３等によって通話の発信要求を受け付けた場合に、通信ユニット６を制御して、ＬＴＥシステムでの通信からＣＤＭＡシステムでの通信に移行する。
【００６４】
この場合、移行部１０５は、ストレージ９に記憶されているＬＴＥシステムのシステムタイムと差分とに基づいて、ＣＤＭＡシステムのシステムタイムを算出する。移行部１０５は、算出されたＣＤＭＡシステムのシステムタイムに基づいて通信ユニット６を制御することにより、ＣＤＭＡシステムの基地局との同期を試行する。
【００６５】
移行部１０５は、ＣＤＭＡシステムの基地局との同期に成功した場合、通信ユニット６を制御して、ＣＤＭＡシステムによる通信を開始する。ここで、ＣＤＭＡシステムの基地局との同期に成功した場合とは、通信ユニット６が、ＣＤＭＡシステムにおけるページングチャネルのオーバーヘッドメッセージを取得できた場合である。
【００６６】
他方、ＣＤＭＡシステムの基地局との同期に失敗した場合とは、通信ユニット６が、ＣＤＭＡシステムにおけるページングチャネルのオーバーヘッドメッセージを取得できない場合である。
ここで、ＣＤＭＡシステムの基地局との同期を行う例について説明する。図８は、ＣＤＭＡシステムの基地局との同期に失敗する例を示す図である。図８に示されるように、ＬＴＥシステムの位置登録エリアＴＡ−１は、ＣＤＭＡシステムの位置登録エリアＬＡ−Ａの全体と、ＬＡ−Ｂの一部に対応している。また、各ＣＤＭＡシステムの位置登録エリアから取得されるシステムタイムは、微小なズレが発生しているものとする。
【００６７】
例えば、図８（ａ）に示すように、ＣＤＭＡシステムの位置登録エリアＬＡ−Ａに対応した位置Ｘ１でＬＴＥシステムの通信を開始すると、コントローラ１０は、ＣＤＭＡシステムの位置登録エリアＬＡ−Ａの基地局からシステムタイムを取得する。その後、コントローラ１０は、ＬＴＥシステムの位置登録エリアＴＡ−１の基地局から取得したシステムタイムと、位置登録エリアＬＡ−Ａの基地局からシステムタイムとの差分を算出し、算出された差分をストレージ９に記憶させる。
【００６８】
その後、スマートフォン１が、図８（ｂ）に示すように、ＬＴＥシステムの位置登録エリアＴＡ−１に対応し、かつ、ＣＤＭＡシステムの位置登録エリアＬＡ−Ｂに対応する位置Ｘ２に移動したとする。この場合に、スマートフォン１で発着信が発生すると、コントローラ１０は、ストレージ９に記憶されている差分と、ＬＴＥシステムの位置登録エリアＴＡ−１から取得したシステムタイムとに基づいて、ＣＤＭＡシステムのシステムタイムを算出する。算出されるＣＤＭＡシステムのシステムタイムは、ＣＤＭＡシステムの位置登録エリアＬＡ−Ａのシステムタイムに対応するものであり、位置登録エリアＬＡ−Ｂのシステムタイムに対応していない。このため、スマートフォン１とＣＤＭＡシステムの基地局とは、同期に失敗する。
【００６９】
移行部１０５は、ＣＤＭＡシステムの基地局との同期に失敗した場合、通信ユニット６を制御して、リスト取得部１０３により取得したネイバーリストに含まれる近隣の基地局が属する位置登録エリアに関連するＣＤＭＡシステムの位置登録エリアの基地局をサーチする。
このようにすることで、スマートフォン１は、現在通信を行っているＬＴＥシステムの基地局に隣接する基地局に近いＣＤＭＡシステムの位置登録エリアについて、基地局をサーチすることができる。すなわち、スマートフォン１は、現在位置に対応するＣＤＭＡシステムの位置登録エリアにおいてサーチを行うので、ＭＲＵ（Ｍｏｓｔ  Ｒｅｃｅｎｔ  Ｕｓｅｄ）又はＰＲＬ（Ｐｒｅｆｅｒｒｅｄ  Ｒｏａｍｉｎｇ  Ｌｉｓｔ）に基づくサーチに比べて効率的にサーチを行うことができる。これにより、スマートフォン１は、通信システムの切り替えに掛かる時間を短縮することができる。
【００７０】
以下に、ＣＤＭＡシステムの位置登録エリアの基地局をサーチする処理について、より具体的に説明する。
まず、移行部１０５は、リスト取得部１０３により取得されたネイバーリストから、現在通信を行っているＬＴＥシステムの基地局の所定範囲内の基地局を特定する。
続いて、移行部１０５は、ストレージ９に記憶されているマッピング情報に基づいて、特定された所定範囲内の基地局が属するＬＴＥシステムの位置登録エリアに関連付けられたＣＤＭＡシステムの位置登録エリアを特定する。ここで、移行部１０５は、マッピング情報に含まれているＬＴＥシステムの位置登録エリアのうち、現在、スマートフォン１が所在しているＬＴＥシステムの位置登録エリアを除外し、その後、ＣＤＭＡシステムの位置登録エリアを特定する。続いて、移行部１０５は、通信ユニット６を制御して、ＣＤＭＡシステムの特定された位置登録エリアの基地局をサーチする。
【００７１】
このようにすることで、スマートフォン１は、マッピング情報に基づいて、現在通信を行っているＬＴＥシステムの基地局に隣接する基地局に近いＣＤＭＡシステムの位置登録エリアを特定することができる。
【００７２】
また、スマートフォン１は、ＣＤＭＡシステムの基地局との同期に失敗した場合に、ＣＤＭＡシステムの位置登録エリアの優先度を所定条件に基づいて決定し、当該優先度の高い順に、ＣＤＭＡシステムの位置登録エリアの基地局をサーチするようにしてもよい。
【００７３】
すなわち、移行部１０５は、ネイバーリストから、現在スマートフォン１が位置しているＬＴＥシステムの位置登録エリアに対応する基地局を除いたうえで、ネイバーリストに含まれている複数の基地局それぞれから発信される電波の強度（電界強度）の情報を取得する。
【００７４】
続いて、移行部１０５は、マッピング情報に基づいて、電界強度の強い基地局に対応するＬＴＥシステムの位置登録エリアに関連付けられているＣＤＭＡシステムの位置登録エリアを特定し、この位置登録エリアの優先度が高くなるように優先度を決定する。これにより、電界強度が最も強いＬＴＥシステムの基地局に対応するＣＤＭＡシステムの位置登録エリアの優先度は最も高くなる。他方、電界強度が最も弱いＬＴＥシステムの基地局に対応するＣＤＭＡシステムの位置登録エリアの優先度は最も低くなる。続いて、移行部１０５は、通信ユニット６を制御して、優先度が高いＣＤＭＡシステムの位置登録エリアから順に、ＣＤＭＡシステムの基地局のサーチを行う。
【００７５】
このようにすることで、スマートフォン１は、現在通信を行っているＬＴＥシステムの基地局から所定範囲内の基地局に最も近いと考えられるＣＤＭＡシステムの位置登録エリアを特定することができる。これにより、スマートフォン１は、スマートフォン１の現在位置に近いＣＤＭＡシステムの基地局を優先的にサーチすることができる。
【００７６】
図９は、本実施形態に係るスマートフォン１における電源起動時の処理を示すフローチャートである。なお、図９の処理は、コントローラ１０が通信ユニット６を適宜制御することにより実行されるものとする。
【００７７】
ステップＳ１において、スマートフォン１の電源がＯＮになると、コントローラ１０は、所定の起動処理を実行し、基地局の捕捉及び位置登録の処理を開始する。
【００７８】
ステップＳ２において、コントローラ１０は、ＣＤＭＡシステムをサーチし、パイロットチャネルを捕捉する。
【００７９】
ステップＳ３において、コントローラ１０は、ＣＤＭＡシステムと符号同期してｓｙｎｃチャネルを受信し、システムタイムを取得する。
【００８０】
ステップＳ４において、コントローラ１０は、ステップＳ３で取得したＣＤＭＡシステムのシステムタイムをストレージ９に記憶する。
【００８１】
ステップＳ５において、コントローラ１０は、ステップＳ３で取得したシステムタイムに基づいてＣＤＭＡシステムと時間同期する。そして、コントローラ１０は、周辺チャネルや基地局位置等を取得するため、さらに、コントローラ１０は、次回に同じＣＤＭＡシステムとの通信を確立するための情報（周波数チャネル、ＰＮ情報等）を取得するために、ページングチャネルのオーバーヘッドメッセージを受信する。
【００８２】
ステップＳ６において、コントローラ１０は、ＣＤＭＡシステムよりも優先されるＬＴＥシステムを起動させるために、ＣＤＭＡシステムをサスペンドする。
【００８３】
ステップＳ７において、コントローラ１０は、ＬＴＥシステムを起動し、同期処理を開始する。
【００８４】
ステップＳ８において、コントローラ１０は、同期したＬＴＥシステムのシステムタイムを取得する。
【００８５】
ステップＳ９において、コントローラ１０は、ステップＳ８で取得したＬＴＥシステムのシステムタイムと、ステップＳ３で取得したＣＤＭＡシステムのシステムタイムとの差分を算出し、ストレージ９に記憶させる。
【００８６】
ステップＳ１０において、コントローラ１０は、ＬＴＥシステムにおいて着信待ち受け状態となり、ＬＴＥでのデータ通信が可能となると共に、ＣＳ  Ｆａｌｌｂａｃｋ機能によるＣＳＭＡシステムの着信通知の受信が可能となる。
【００８７】
図１０は、本実施形態に係るスマートフォン１におけるハンドオフ時の処理を示すフローチャートである。なお、図１０の処理は、コントローラ１０が通信ユニット６を適宜制御することにより実行されるものとする。
【００８８】
ステップＳ１１において、コントローラ１０は、基地局からの電波状況の変化に基づいて、ＬＴＥシステムのエリアを変更するハンドオフを実行する。
【００８９】
ステップＳ１２において、コントローラ１０は、ハンドオフ先のＬＴＥシステムのシステムタイムを取得し、ストレージ９に記憶させる。さらに、コントローラ１０は、ハンドオフ先のＬＴＥシステムの基地局から、ネイバーリスト及びマッピング情報を取得する。
【００９０】
ステップＳ１３において、コントローラ１０は、ＣＤＭＡシステムを捕捉するために、一旦、ＬＴＥシステムをサスペンドする。
【００９１】
ステップＳ１４において、コントローラ１０は、ＣＤＭＡシステムをサーチし、パイロットチャネルを捕捉する。なお、コントローラ１０は、ステップＳ１２において取得したマッピング情報に基づいてサーチ対象を限定してサーチする。
【００９２】
ステップＳ１５において、コントローラ１０は、ＣＤＭＡシステムと符号同期してｓｙｎｃチャネルを受信し、システムタイムを取得する。
【００９３】
ステップＳ１６において、コントローラ１０は、ステップＳ１５で取得したＣＤＭＡシステムのシステムタイムをストレージ９に記憶させる。
【００９４】
ステップＳ１７において、コントローラ１０は、ステップＳ１５で取得したシステムタイムに基づいてＣＤＭＡシステムと時間同期し、次回に同じＣＤＭＡシステムと通信を確立するための情報（周波数チャネル、ＰＮ情報等）を取得するために、ページングチャネルのオーバーヘッドメッセージを受信する。
【００９５】
ステップＳ１８において、コントローラ１０は、ステップＳ１２で取得したＬＴＥシステムのシステムタイムと、ステップＳ１５で取得したＣＤＭＡシステムのシステムタイムとの差分を算出し、ストレージ９に記憶させる。
【００９６】
ステップＳ１９において、コントローラ１０は、ステップＳ１３でサスペンドしたＬＴＥシステムを起動させるために、ＣＤＭＡシステムをサスペンドする。
【００９７】
ステップＳ２０において、コントローラ１０は、ＬＴＥシステムを起動して着信待ち受け状態となり、ＬＴＥシステムでのデータ通信が可能となると共に、ＣＳ  Ｆａｌｌｂａｃｋ機能によるＣＤＭＡシステムの着信通知の受信が可能となる。
【００９８】
なお、本処理において、ステップＳ１８におけるシステムタイムの差分の算出は、ステップＳ２０におけるＬＴＥシステムの起動後に取得したシステムタイムを用いてもよい。
【００９９】
図１１は、本実施形態に係るスマートフォン１における発着信時の処理を示すフローチャートである。なお、図１１の処理は、コントローラ１０が通信ユニット６を適宜制御することにより実行されるものとする。
【０１００】
ステップＳ２１において、コントローラ１０は、ＣＳ  Ｆａｌｌｂａｃｋ機能により、ＣＤＭＡシステムの着信通知メッセージを受信、又は、発信操作を受け付ける。
【０１０１】
ステップＳ２２において、コントローラ１０は、ステップＳ２１で受信した着信通知に対して、ＬＴＥシステムにより応答した後、通話処理を開始するためにＣＤＭＡシステムを起動させる。
【０１０２】
ステップＳ２３において、コントローラ１０は、ＬＴＥシステムのシステムタイムに、ストレージ９に記憶されている差分を加算して、ＣＤＭＡシステムのシステムタイムを算出する。
【０１０３】
ステップＳ２４において、コントローラ１０は、ステップＳ２３で算出したシステムタイムを用いて、ＣＤＭＡシステムと同期をとり、ページングチャネルの受信を試みる。
【０１０４】
ステップＳ２５において、コントローラ１０は、ＣＤＭＡシステムにおいて、ページングチャネルのオーバーヘッドメッセージを受信できたか否かを判定する。コントローラ１０は、この判定がＹＥＳの場合、ステップＳ２６に処理を移し、判定がＮＯの場合、ステップＳ２７に処理を移す。
【０１０５】
ステップＳ２６において、コントローラ１０は、ＣＤＭＡシステムにおいてトラフィックチャネルに移行し、通話処理を実行する。
【０１０６】
ステップＳ２７において、コントローラ１０は、ステップＳ２３で算出したシステムタイムによってＣＤＭＡシステムとの時間同期に失敗したので、ネイバーリストに基づいて、現在通信中のＬＴＥシステムの基地局から所定範囲内のＬＴＥシステムの基地局の電界強度を測定する。
【０１０７】
ステップＳ２８において、コントローラ１０は、サーチ対象の位置登録エリアの優先順位を決定する。具体的には、コントローラ１０は、ステップＳ２７において測定された電界強度に基づいて、現在通信中のＬＴＥシステムの基地局から所定範囲内の基地局に対応するＣＤＭＡシステムの位置登録エリアの優先順位を決定する。
【０１０８】
ステップＳ２９において、コントローラ１０は、マッピング情報に基づいて特定されているＣＤＭＡシステムの位置登録エリアについて、順位が高いＬＴＥシステムに関連するＣＤＭＡシステムの位置登録エリアから順に、ＣＤＭＡシステムの基地局のサーチを行う。
【０１０９】
ステップＳ３０において、コントローラ１０は、捕捉したＣＤＭＡシステムのｓｙｎｃチャネルを受信し、システムタイムを取得する。そして、コントローラ１０は、処理をステップＳ２４に戻し、改めてページングチャネルの受信を試みる。
【０１１０】
以上、本実施形態によれば、スマートフォン１は、リスト取得部１０３によりＬＴＥシステムの基地局から、当該基地局の所定範囲内の基地局と、当該所定範囲内の複数の基地局の位置登録エリアとを関連付けたネイバーリストを取得し、移行部１０５により、ＬＴＥシステムでの通信からＣＤＭＡシステムでの通信に移行する場合に、ＬＴＥシステムのシステムタイム及び差分に基づいてＣＤＭＡシステムへの通信接続を試行し、当該試行に失敗した場合にネイバーリストに含まれる近隣の基地局が属する位置登録エリアに関連するＣＤＭＡシステムの位置登録エリアの基地局をサーチする。
【０１１１】
このようにすることで、スマートフォン１は、現在通信を行っているＬＴＥシステムの基地局に隣接する基地局に近いＣＤＭＡシステムの位置登録エリアに基づいて、基地局をサーチすることができる。すなわち、スマートフォン１は、現在位置に対応するＣＤＭＡシステムの位置登録エリアにおいてサーチを行うので、ＭＲＵ又はＰＲＬに基づくサーチに比べて効率的にサーチを行うことができる。これにより、スマートフォン１は、通信システムの切り替えに掛かる時間を短縮することができる。
【０１１２】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【０１１３】
図４及び図５に示したスマートフォン１の構成は一例であり、本発明の要旨を損なわない範囲において適宜変更してよい。
また、本実施形態では、リスト取得部１０３は、ＬＴＥシステムによる通信開始時又はハンドオフの発生時に、接続先のＬＴＥシステムの基地局からネイバーリストを取得することとしたが、これに限らない。例えば、リスト取得部１０３は、ＬＴＥシステムでの通信からＣＤＭＡシステムでの通信に移行する場合に、接続先のＬＴＥシステムの基地局からネイバーリストを取得するようにしてもよい。
【０１１４】
また、本実施形態では、マッピング情報取得部１０４は、ＬＴＥシステムによる通信開始時又はハンドオフの発生時に、マッピング情報を取得することとしたがこれに限らない。例えば、マッピング情報取得部１０４は、ＬＴＥシステムでの通信からＣＤＭＡシステムでの通信に移行する場合に、接続先のＬＴＥシステムの基地局からマッピング情報を取得するようにしてもよい。
【０１１５】
なお、図４においてストレージ９が記憶することとしたプログラムの一部又は全部は、通信ユニット６による無線通信で他の装置からダウンロードされてもよい。また、図４においてストレージ９が記憶することとしたプログラムの一部又は全部は、ストレージ９に含まれる読み取り装置が読み取り可能な記憶媒体に記憶されていてもよい。また、図４においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
また、図４に示した各プログラムは、複数のモジュールに分割されていてもよいし、他のプログラムと結合されていてもよい。
【０１１６】
また、前述の実施形態では、無線端末装置の一例として、スマートフォンについて説明したが、無線端末装置は、スマートフォンに限定されない。例えば、無線端末装置は、モバイルフォン、携帯型パソコン、デジタルカメラ、メディアプレイヤ、電子書籍リーダ、ナビゲータ又はゲーム機等の携帯電子機器、あるいは通信機能に特化した通信専用モジュールであってもよい。
【符号の説明】
【０１１７】
１  スマートフォン（無線端末装置）
１０  コントローラ（制御部）
１０１  システムタイム取得部（取得部）
１０２  差分算出部
１０３  リスト取得部
１０４  マッピング情報取得部
１０５  移行部
【図１】
2014011494.tif 000003
【図２】
2014011494.tif 000004
【図３】
2014011494.tif 000005
【図４】
2014011494.tif 000006
【図５】
2014011494.tif 000007
【図６】
2014011494.tif 000008
【図７】
2014011494.tif 000009
【図８】
2014011494.tif 000010
【図９】
2014011494.tif 000011
【図１０】
2014011494.tif 000012
【図１１】
2014011494.tif 000013